(57)【要約】【課題】外蓋及び内蓋を有する蓋体を備えたコンパクト容器において、蓋体を開く際の動作不良を防止可能な構成を有するコンパクト容器を提供する。【解決手段】容器本体１０と、蓋体２０と、フック構造Ｆと、押し込み操作によりフック構造Ｆの係合を解除するプッシュピース３０と、を備え、蓋体２０は、外蓋２１と、外蓋２１の内側に固定された内蓋２２とを有し、フック構造Ｆは、容器本体１０に設けられた係止部１４と、係止部２４の前側から係止部１４に係合する、内蓋２２に設けられた係合部２４とで構成されており、内蓋２２における係合部２４の前側には、プッシュピース３０の押し込み操作時にプッシュピース３０に設けた摺動部が摺動する傾斜面２５ａが設けられており、内蓋２２は、少なくとも内蓋２２の外周縁部の全周にわたって周方向に隙間なく設けられた固定領域Ａにおいて外蓋２１に固定されていることを特徴とする。【選択図】図１
2020178910.tif 000002
【特許請求の範囲】
【請求項１】
内容物を収容するための凹所が形成された容器本体と、
該容器本体の後部に位置するヒンジ部を介して連結され、閉状態において前記凹所の上端開口を覆う蓋体と、
前記容器本体の前部に位置し、前記蓋体の閉状態を維持するためのフック構造と、
前記フック構造の前側に位置し、押し込み操作により前記フック構造の係合を解除するプッシュピースと、を備え、
前記蓋体は、外蓋と、該外蓋の内側に固定された内蓋とを有し、
前記フック構造は、前記容器本体に設けられた係止部と、前記蓋体の閉状態において前記係止部の前側から該係止部に係合する、前記内蓋に設けられた係合部とで構成されており、
前記内蓋における前記係合部の前側には、前記プッシュピースの押し込み操作時に該プッシュピースに設けた摺動部が摺動する傾斜面が設けられており、
前記内蓋は、少なくとも該内蓋の外周縁部の全周にわたって周方向に隙間なく設けられた固定領域において前記外蓋に固定されていることを特徴とするコンパクト容器。
【請求項２】
前記外蓋は、天壁と、該天壁の外周縁部から垂下する外周壁とを有し、
前記内蓋は、前記天壁の下面に沿って配置される頂壁と、該頂壁の外周縁部に連なり前記外周壁の内側に位置する内周壁と、を有し、
前記天壁の下面に前記頂壁の上面が固定されている、請求項１に記載のコンパクト容器。
【請求項３】
前記内蓋は、前記頂壁の中央部に、鏡を配置するための貫通孔を有し、該貫通孔を取り囲む前記頂壁の外周縁部が前記天壁に固定されている、請求項２に記載のコンパクト容器。
【発明の詳細な説明】
【技術分野】
【０００１】
本発明は、内容物を収容する容器本体と、容器本体にヒンジ部を介して連結された蓋体とを備え、蓋体が、外蓋及び内蓋を有するコンパクト容器に関する。
【背景技術】
【０００２】
例えば、化粧料容器等として使用されるコンパクト容器は、容器本体に形成された凹所に、化粧料等の内容物が充填された中皿が配置され、容器本体に対してヒンジ部を支点に連結された蓋体で凹所の上端開口を覆うようにしたものが知られている（例えば、特許文献１参照）。
【０００３】
特許文献１に記載のコンパクト容器にあっては、容器の前側（ヒンジ部の逆側）に、蓋体の閉状態を維持するためのフック構造が設けられており、容器本体に設けられたプッシュピースを押し込んでフック構造の係合状態を解除することによって、蓋体が開くように構成されている。また、フック構造は、容器本体の中枠部材から前向きに突出する係止部に、蓋体から垂下する係合片から後向きに突出する係合部が下方から係合することで、蓋体の閉状態を維持するように構成されている。
【０００４】
また、蓋体は、蓋体の外郭を構成する外蓋と、外蓋の内側に固定保持された内蓋とからなり、内蓋に上記係合片が設けられている。そして、プッシュピースを押し込むことで、プッシュピースの先端の摺動面が、内蓋における係合部の前側に設けられた傾斜面（後方に向けて斜め下向きに傾斜する面）に沿って摺動して、内蓋を上方に押し上げることで、フック構造の係合状態が解除されて蓋体を開くことができるように構成されている。
【先行技術文献】
【特許文献】
【０００５】
【特許文献１】特開２０１３−１５４０９８号公報
【発明の概要】
【発明が解決しようとする課題】
【０００６】
しかしながら、上記のような構成のコンパクト容器において、プッシュピースの押し込みにより内蓋が押圧方向に向けて撓むように変形して、所期したようにフック構造の係合を解除できない、という問題が生じる虞があった。
【０００７】
それゆえ本発明は、外蓋及び内蓋を有する蓋体を備えたコンパクト容器において、蓋体を開く際の動作不良を防止可能な構成を有するコンパクト容器を提供することを目的とする。
【課題を解決するための手段】
【０００８】
本発明は、上記課題を解決するためになされたものであり、本発明のコンパクト容器は、内容物を収容するための凹所が形成された容器本体と、
該容器本体の後部に位置するヒンジ部を介して連結され、閉状態において前記凹所の上端開口を覆う蓋体と、
前記容器本体の前部に位置し、前記蓋体の閉状態を維持するためのフック構造と、
前記フック構造の前側に位置し、押し込み操作により前記フック構造の係合を解除するプッシュピースと、を備え、
前記蓋体は、外蓋と、該外蓋の内側に固定された内蓋とを有し、
前記フック構造は、前記容器本体に設けられた係止部と、前記蓋体の閉状態において前記係止部の前側から該係止部に係合する、前記内蓋に設けられた係合部とで構成されており、
前記内蓋における前記係合部の前側には、前記プッシュピースの押し込み操作時に該プッシュピースに設けた摺動部が摺動する傾斜面が設けられており、
前記内蓋は、少なくとも該内蓋の外周縁部の全周にわたって周方向に隙間なく設けられた固定領域において前記外蓋に固定されていることを特徴とするものである。
【０００９】
なお、本発明のコンパクト容器にあっては、前記外蓋は、天壁と、該天壁の外周縁部から垂下する外周壁とを有し、
前記内蓋は、前記天壁の下面に沿って配置される頂壁と、該頂壁の外周縁部に連なり前記外周壁の内側に位置する内周壁と、を有し、
前記天壁の下面に前記頂壁の上面が固定されていることが好ましい。
【００１０】
また、本発明のコンパクト容器にあっては、前記内蓋は、前記頂壁の中央部に、鏡を配置するための貫通孔を有し、該貫通孔を取り囲む前記頂壁の外周縁部が前記天壁に固定されていることが好ましい。
【発明の効果】
【００１１】
本発明によれば、外蓋及び内蓋を有する蓋体を備えたコンパクト容器において、蓋体を開く際の動作不良を防止可能な構成を有するコンパクト容器を提供することができる。
【図面の簡単な説明】
【００１２】
【図１】本発明の一実施形態に係るコンパクト容器の側面視での断面図である。
【図２】図１に示すコンパクト容器の部分拡大図である。
【図３】（ａ）は、図１に示すコンパクト容器の蓋体における、外蓋と内蓋との固定領域を示す平面図であり、（ｂ）は、固定領域の変形例を示す平面図である。
【図４】図１に示すコンパクト容器を開く際の様子を示す部分拡大図である。
【図５】（ａ）〜（ｃ）は、比較例としての外蓋と内蓋との固定領域を示す平面図である。
【図６】図５（ａ）〜（ｃ）に示すコンパクト容器のプッシュピースを押し込んだ際の様子を示す部分拡大図である。
【発明を実施するための形態】
【００１３】
以下、図面を参照して、本発明の一実施形態に係るコンパクト容器１について詳細に説明する。なお、本明細書、特許請求の範囲、及び要約書において、「上」側とは、容器本体１０に対して蓋体２０が位置する側（図１における上側）であり、「下」側とはその反対側（図１における下側）である。また、「前」側とは、ヒンジ部Ｈに対してプッシュピース３０が位置する側（図１の左側）であり、「後」側とは、その反対側（図１の右側）である。コンパクト容器１の幅方向（左右方向）は、上下方向及び前後方向に対して垂直な方向である。
【００１４】
図１に示すように、コンパクト容器１は、固形化粧料等の内容物を収容するための凹所１１が形成された容器本体１０と、容器本体１０の後部に位置するヒンジ部Ｈを介して連結され、閉状態において凹所１１の上端開口を覆う蓋体２０と、を備える。また、コンパクト容器１は、ヒンジ部Ｈとは逆側の、容器本体１０の前部に位置し、蓋体２０の閉状態を維持するためのフック構造Ｆと、フック構造Ｆよりも前側に位置し、押し込み操作によりフック構造Ｆの係合を解除するプッシュピース３０と、を備える。
【００１５】
容器本体１０の凹所１１には、例えば、固形化粧料等の内容物を収容する中皿を着脱可能に配置することができる。また、凹所１１には、中皿及び内容物への衝撃を吸収するための衝撃吸収部を設けてもよい。衝撃吸収部は、例えばゴムまたはエラストマ等の可撓性を有する弾性材料で形成されたものとすることができ、中皿の外周面及び下面を外側から覆うように配置される。
【００１６】
容器本体１０は、凹所１１を区画形成する環状の側壁１２と、側壁１２の下端部に連なる平坦な板状の底壁１３を有する。側壁１２の一部を構成する前側壁１２ａの前面には、前向きに突出する係止部１４が設けられている。係止部１４は、容器本体１０の幅方向の中央部分に配置されている。また、前側壁１２ａの前方には、プッシュピース３０を配置するためのプッシュピース保持凹部１５が設けられている。プッシュピース保持凹部１５は、容器本体１０の幅方向の中央部分に配置されている。
【００１７】
蓋体２０は、外蓋２１と、当該外蓋２１の内側に固定された内蓋２２とを有する。本例の外蓋２１は、平坦な板状の天壁２１ａと、天壁２１ａの外周縁部から垂下する外周壁２１ｂとを有する有頂筒状である。
【００１８】
内蓋２２は、天壁２１ａの下面に沿って配置される頂壁２２ａと、頂壁２２ａの外周縁部に連なり、外周壁２１ｂの内側に配置される内周壁２２ｂとを有する。また、内蓋２２の前部には、頂壁２２ａから垂下する係合壁２３が設けられており、係合壁２３の後側の面には、後向きに突出する係合部２４が設けられている。係合部２４は、容器本体１０の係止部１４に係脱自在に係合することができる。図２にも示すように、蓋体２０の閉状態において、係合部２４の上向きの面が、容器本体１０に設けられた係止部１４の下向きの面に下方から係合することによりフック構造Ｆが係合状態となり、蓋体２０の閉状態を維持することができる。このように、本例のフック構造Ｆは、容器本体１０に設けられた係止部１４と、蓋体２０に設けられた係合部２４とで構成されている。
【００１９】
また、内蓋２２には、フック構造Ｆの前側に位置する傾斜壁２５が設けられている。傾斜壁２５は、係合壁２３の下端部と、内蓋２２の前端部に位置する内周壁２２ｂとに連結されている。傾斜壁２５に設けられた傾斜面２５ａは、蓋体２０の前側から後側に向かって、斜め下向きに傾斜している。
【００２０】
本例の内蓋２２は、接着剤、粘着テープ等の固定部材２８により外蓋２１に固定されている。具体的に、外蓋２１の天壁２１ａの下面と、内蓋２２の頂壁２２ａの上面とが固定部材２８により固定されている。外蓋２１に対する内蓋２２の固定方法は、接着剤、粘着テープ等の固定部材２８を用いた接着固定方法に限らず、溶着固定してもよいし、相互に対応する凹部と凸部との嵌合等による機械的な固定方法でもよい。
【００２１】
本例では、蓋体２０の内面に鏡２６が固定されている。本例の鏡２６は、外蓋２１における天壁２１ａの下面に接着剤等の固定部材２９により固定されている。また、本例では、内蓋２２の頂壁２２ａの中央部に貫通孔２２ｃが形成されており、当該貫通孔２２ｃに嵌め込まれるように鏡２６が配置されている。また、内蓋２２の後端部には、ヒンジ部Ｈを構成する軸受部２７が設けられている。軸受部２７は、頂壁２２ａから垂下し、蓋体２０の幅方向の中央部分に設けられている。軸受部２７には、例えば、回転軸となる棒状のピン部材を収容可能なピン穴が設けられている。
【００２２】
プッシュピース３０は、前壁３１と、前壁３１の上部から後方に突出する押込み板３２と、前壁３１の下部から後方に突出する支持板３３とを有する。支持板３３の下面には、係合爪３３ａが設けられており、係合爪３３ａが容器本体１０のプッシュピース保持凹部１５に形成された係合溝１６に係合することにより、プッシュピース３０の容器本体１０からの脱落が抑制される。
【００２３】
押込み板３２の後端部には、プッシュピース３０の押し込み操作時に傾斜面２５ａに摺動して蓋体２０を押し上げる摺動部３２ａが設けられている。
【００２４】
ここで、図３（ａ）は、外蓋２１と内蓋２２との固定領域Ａを概略的に示す平面図である。本例では、内蓋２２において鏡２６を配置するための貫通孔２２ｃを取り囲む頂壁２２ａの外周縁部の略全体が固定領域Ａとなっている。すなわち、図３（ａ）の固定領域Ａは、内蓋２２の外周縁部の全周にわたって、周方向に隙間なく連続して延在している。
【００２５】
なお、例えば、内蓋２２の頂壁２２ａに貫通孔２２ｃが形成されていない場合には、図３（ｂ）に示すように、固定領域Ａが頂壁２２ａの全体にわたって設けられていてもよい。この場合でも、固定領域Ａは、内蓋２２の外周縁部の全周にわたって周方向に隙間なく延在する図３（ａ）と同様の領域を含んでいる。なお、固定領域Ａは、少なくとも内蓋２２の外周縁部の全周にわたって周方向に隙間なく設けられていればよい。
【００２６】
ここで、例えば図５（ａ）〜（ｃ）に示すように、外蓋２１と内蓋２２を固定する固定領域Ａが、内蓋２２の外周縁部の全周にわたって隙間なく設けられておらず、周方向の一部が間欠して間欠部Ｇが形成されている場合について説明する。なお、間欠部Ｇは、外蓋２１に内蓋２２が固定されていない非固定領域とすることができる。このように間欠部Ｇが形成されている場合には、図６に示すように、プッシュピース３０の押し込み時に、摺動部３２ａによって傾斜面２５ａを押圧された内蓋２２が押し込み方向（後方）側に変形する。これにより、外蓋２１と内蓋２２との間に部分的な位置ずれが生じ、所期したように内蓋２２を押し上げることができず、フック構造Ｆの係合状態を解除することができない虞がある。つまり、外蓋２１と内蓋２２との固定領域Ａに間欠部Ｇが形成されていると、蓋体２０を開く際の動作不良が生じる虞がある。
【００２７】
これに対して、本実施形態のコンパクト容器１にあっては、外蓋２１と内蓋２２との固定領域Ａが、少なくとも内蓋２２の外周縁部の全周にわたって周方向に隙間なく設けられている構成としている。このような構成とすることで、外蓋２１に対して内蓋２２が強固に固定されるため、内蓋２２がプッシュピース３０の押し込み方向側に変形して外蓋２１と内蓋２２との間に上記のような部分的な位置ずれが生じることを抑制することができる。そして、プッシュピース３０の押し込み操作時には、図４に示すように、摺動部３２ａが傾斜面２５ａに摺動して蓋体２０を確実に押し上げ、係合部２４を係止部１４から離脱させて、フック構造Ｆの係合状態を解除することができる。その結果、蓋体２０を開く際の動作不良を防止することができる。
【００２８】
また、本実施形態のコンパクト容器１にあっては、外蓋２１の天壁２１ａの下面に対して、当該下面に沿って対向配置される内蓋２２の頂壁２２ａの上面を固定する構成としたことにより、外蓋２１に対する内蓋２２の固定強度を高めることができる。なお、固定強度を高める観点から、固定領域Ａを構成する外蓋２１の天壁２１ａの下面と内蓋２２の頂壁２２ａの上面とは平行であることが好ましく、また、共に平坦な面であることが望ましい。なお、外蓋２１の外周壁２１ｂの内面に、内蓋２２の内周壁２２ｂの外面を固定することにより、外蓋２１と内蓋２２との固定強度を高めるようにしてもよい。
【００２９】
また、本実施形態のコンパクト容器１にあっては、内蓋２２の頂壁２２ａの中央部に貫通孔２２ｃを形成したことにより、蓋体２０の厚みの増大を抑制しながら鏡２６を蓋体２０の内面に配置することができる。また、貫通孔２２ｃを取り囲むように、周方向に隙間なく連続する環状の固定領域Ａを設けることで、外蓋２１に対して内蓋２２を強固に固定することも可能となる。なお、内蓋２２の頂壁２２ａに、貫通孔２２ｃを形成しない場合、鏡２６を頂壁２２ａの下面に接着等により固定することができる。
【００３０】
なお、蓋体２０を、外蓋２１と内蓋２２とを備える構成とすることで、外蓋２１の材料、色等を内蓋２２とは異ならせることができるので、外蓋２１に装飾性を付与することで、蓋体２０及びコンパクト容器１全体としての意匠性を高めることができる。また、内蓋２２にフック構造Ｆ及びヒンジ部Ｈ等の機能的構成を設けることで、外蓋２１には開閉操作に伴う応力が加わり難くなるため、外蓋２１の変形等による意匠性の低下等を防止することができる。これにより、高い意匠性を長期にわたって維持し易くなる。
【００３１】
上述したところは、本発明の一例を示したにすぎず、特許請求の範囲において、種々の変更を加えることができる。例えば、容器本体１０の凹所１１に、例えばパフ等の化粧道具を収容できるように構成してもよい。また、上記実施形態では、容器本体１０の前側壁１２ａに係止部１４が設けられていたが、これに限られず、内容物を収容する中皿を凹所１１に保持するための中枠部材に係止部を設けてもよい。
【符号の説明】
【００３２】
１：コンパクト容器
１０：容器本体
１１：凹所
１２：側壁
１２ａ：前側壁
１３：底壁
１４：係止部
１５：プッシュピース保持凹部
１６：係合溝
２０：蓋体
２１：外蓋
２１ａ：天壁
２１ｂ：外周壁
２２：内蓋
２２ａ：頂壁
２２ｂ：内周壁
２２ｃ：貫通孔
２３：係合壁
２４：係合部
２５：傾斜壁
２５ａ：傾斜面
２６：鏡
２７：軸受部
２８、２９：固定部材
３０：プッシュピース
３１：前壁
３２：押込み板
３２ａ：摺動部
３３：支持板
３３ａ：係合爪
Ａ：固定領域
Ｆ：フック構造
Ｇ：間欠部
Ｈ：ヒンジ部
【図１】
2020178910.tif 000003
【図２】
2020178910.tif 000004
【図３】
2020178910.tif 000005
【図４】
2020178910.tif 000006
【図５】
2020178910.tif 000007
【図６】
2020178910.tif 000008